(57)【要約】【課題】  本発明は、薬液を収容した容器が装着され、その容器内の薬液を蒸散させる蚊取器に関し、容器が確実に装着されるとともに、装着された容器を容易に取り外すことのできる蚊取器を提供する。【解決手段】  側面に突出したリブを有し薬液を収容した容器の装着を受けてそのリブを係止することで容器を保持し、保持した容器内の薬液を蒸散させる蚊取器において、押ボタンと、上記リブに係止することで容器を保持し、上記押ボタンが押されたときのその押ボタンの動きに伴って相対的に離間することでその係止を解除する複数の係止爪とを有する。【選択図】        図５
2012115176.tif 000002
【特許請求の範囲】
【請求項１】
側面に突出したリブを有し薬液を収容した容器の装着を受けて該リブを係止することで該容器を保持し、保持した容器内の薬液を蒸散させる蚊取器において、
押ボタンと、
前記リブに係止することで該容器を保持し、前記押ボタンが押されたときの該押ボタンの動きに伴って相対的に離間することで該係止を解除する複数の係止爪とを有することを特徴とする蚊取器。
【請求項２】
前記複数の係止爪は、それぞれの一端が当該蚊取器本体に軸支されて他端側が互いに接離する方向に回動する係止爪であって、
前記係止爪の他端どうしが互いに近づく方向に該係止爪を付勢するバネと、
前記係止爪どうしの間に前記容器を挟むだけの間隔を空けて該係止爪が互いに対向する位置に該係止爪を停止させるストッパとを有し、
前記押ボタンと前記ストッパが、該押ボタンが押されることによりスライドし前記係止爪の他端どうしの間に入り込んで該係止爪の他端どうしの間隔を広げるとともに、該押ボタンの押圧の解除によりスライドし互いに近づいてきた前記係止爪を停止させる、一体の部材で形成されたものであることを特徴とする請求項１記載の蚊取器。
【請求項３】
前記複数の係止爪が、当該蚊取器本体に設けられた第１の係止爪と、該第１の係止爪との間に間隔を空けて該第１の係止爪に対向する第２の係止爪とを含み、
前記押ボタンと前記第２の係止爪が、該押ボタンを押すことによって該第２の係止爪が前記第１の係止爪から離れる方向に当該蚊取器本体に対しスライドする、一体の部材で形成されたものであり、さらに
前記第２の係止爪が前記第１の係止爪に近づく方向に前記部材を付勢するバネと、
前記バネにより付勢された前記部材を、前記第２の係止爪が前記第１の係止爪に対し、該第１の係止爪と該第２の係止爪との間に前記容器を挟むだけの間隔を空けて対向する位置に停止させるストッパとを有することを特徴とする請求項１記載の蚊取器。
【発明の詳細な説明】
【技術分野】
【０００１】
本発明は、薬液を収容した容器が装着され、その容器内の薬液を蒸散させる蚊取器に関する。
【背景技術】
【０００２】
従来より上記のタイプの蚊取器が広く知られている。
【０００３】
図１は、従来の蚊取器の外観斜視図である。
【０００４】
この蚊取器１０Ｃは下方が円筒形、上方が半球形の形状を有し、その上端には、蒸散させた薬液を空中に拡散させるための穴１１が形成されている。また、この蚊取器１０Ｃの側面下部には、電源スイッチ１２が設けられている。さらに、電源スイッチ１２の上方、穴１１の横には、電源確認窓１３が設けられている。この蚊取器１０Ｃには先端に電源プラグ１８を備えた電源コード１７が接続されており、この電源プラグ１８を商用電源のコンセント（図示せず）に差し込み電源スイッチ１２をオンにすると、電源確認窓１３が光り、電源が投入されたことが視認される。
【０００５】
さらに、この蚊取器１０Ｃの側面下方には、図２を参照して説明する容器２０中の薬液の残量を視認するための液量確認窓１４が設けられている。この液量確認窓１４は、互いに向き合う位置に２つ設けられている。
【０００６】
図２は、薬液を収容した容器２０の外観斜視図である。ここでは、この容器２０は、キャップを取り外した状態が示されている。
【０００７】
この容器２０内には蚊取用の薬液が収容されており、その容器２０内の薬液を毛細管現象により吸い上げる吸上げ芯２１が、上端部が容器２０から上方に突出した状態に突き刺さっている。この容器２０は、吸上げ芯２１を除き、透明なプラスチック材料で形成されており、その内部の薬液の液量を液量確認窓１４（図１参照）から確認することができる。またこの容器２０は、太い円筒形状の胴部２０１と、細い円筒形状の首部２０２を有する。また、この容器２０は、胴部２０１と首部２０２との繋ぎの部分に、側方から見たときに台形状の斜面からなる肩部２０３が形成されている。また、首部２０２の外周には、キャップ（図示せず）を着脱するための螺旋形のリブ（螺旋リブ２２）と、その螺旋リブ２２の下方に、この容器２０を蚊取器１０Ｃ（図１）に装着するための円環状のリブ（円環リブ２３）が形成されている。
【０００８】
図３は、図１に示す蚊取器１０Ｃを底面側から見て示した斜視図である。
【０００９】
この蚊取器１０Ｃはその底面に大きな開口１０１を有する。この開口１０１の側面には、図１を参照して説明した２つの液量確認窓と同じ位置に、横窓１０８が設けられている。図２に示す容器２０の液量は、この横窓を透し、さらに図１に示す液量確認窓１４を透して視認される。また、この開口１０１の奥（図１に示す姿勢では開口１０１の上端）には、丸穴１０２が形成されている。図２に示す容器２０は、吸上げ芯２１の突出した部分がその丸穴１０２に差し込まれた姿勢でこの開口１０１内に装着される。
【００１０】
この開口１０１の内部には、その中央に向かって突出した４枚のリブ１０３を有する。これら４枚のリブ１０３は、この図３に示す向きに見たときに階段状に形成されており、その段部１０３ａは、容器２０の肩部２０３（図２参照）に当てがわれる。またその段部１０３ａに続く立ち上がり部１０３ｂは、容器２０の胴部２０１に当てがわれる。
【００１１】
さらに、この開口１０１の奥には、丸穴１０２の周囲に、容器２０の首部２０２が入り込む窪み部１０４が形成されている。この窪み部１０４には、中央に向かって突出した複数の突部１０４ａが形成されており、これらの突部１０４ａは容器２０の首部２０２に当てがわれる。
【００１２】
さらに、この開口１０１の奥には、窪み部１０４を挟んで対向する２つの係止爪１０５が設けられている。この開口１０１内に容器２０が装着されると、その容器２０の首部２０２の外周に設けられた円環リブ２３が、係止爪１０５を押し開きながら開口１０１の奥側（図１に示す姿勢における上側）に通過し、通過直後に係止爪１０５が元の姿勢に戻って円環リブ２３を係止し、容器２０が落下しないように保持される。
【００１３】
図４は、図１に示す蚊取器の、カバーを取り外して内部の構造を示した斜視図である。
【００１４】
ここには、中央に開口を有するヒータ１５が示されている。図２に示す容器２０が上述のようにして蚊取器１０Ｃに装着されると、その容器２０の吸上げ芯２１の突出した先端部分がこのヒータ１５の中央の開口に、ヒータ１５に接触しないように入り込む。電源スイッチ１２をオンにすると、そのヒータ１５に電流が流れて吸上げ芯２１の先端部分にまで吸い上げられた薬液が温められ空気中に蒸散する。この蒸散した薬液は図１に示す穴１１から室内に拡散される。
【００１５】
またこの図４には、ランプ１６が示されている。このランプ１６は、電源スイッチ１２をオンにすると点灯する。このランプ１６と図１に示す電源確認窓１３との間にはプラスチックのライトガイド棒（図示せず）が配置され、ランプ１６の光がそのライトガイド棒を伝って電源確認窓１３を光らせる構造となっている。
【００１６】
ここで、特許文献１には、蒸散成分を広範囲に拡散するための外気取入口を設けた構造が示されている。
【先行技術文献】
【特許文献】
【００１７】
【特許文献１】特開平５−２４４８５３号公報
【発明の概要】
【発明が解決しようとする課題】
【００１８】
図１〜図４を参照して説明した従来構造の蚊取器１０Ｃの場合、容器２０の装着にあたっては、容器の底に指などを当てがって少し強めに押すことにより容易に装着することが可能である。しかしながら、装着された容器内の薬液を使い切って容器の交換のために容器を取り外そうとすると、蚊取器１０Ｃの底の開口１０１の、容器の胴部２０１とその開口１０１の壁面との間の、狭い隙間に指先を差し込んで容器２０をつかんで引き抜く必要があり、女性や子供では困難な程度に強く把持して強く引き抜く必要がある。このように、従来構造の蚊取器は、容器を取り外す際の操作性が悪いという問題がある。
【００１９】
本発明は、容器が確実に装着されるとともに、装着された容器を容易に取り外すことのできる蚊取器を提供することを目的とする。
【課題を解決するための手段】
【００２０】
上記目的を達成する本発明の蚊取器は、側面に突出したリブを有し薬液を収容した容器の装着を受けてそのリブを係止することで容器を保持し、保持した容器内の薬液を蒸散させる蚊取器において、
押ボタンと、
上記リブに係止することで容器を保持し、上記押ボタンが押されたときのその押ボタンの動きに伴って相対的に離間することでその係止を解除する複数の係止爪とを有することを特徴とする。
【００２１】
ここで、本発明の蚊取器において、上記複数の係止爪は、それぞれの一端がこの蚊取器本体に軸支されて他端側が互いに接離する方向に回動する係止爪であって、
係止爪の他端どうしが互いに近づく方向に係止爪を付勢するバネと、
係止爪どうしの間に容器を挟むだけの間隔を空けて係止爪が互いに対向する位置に係止爪を停止させるストッパとを有し、
押ボタンとストッパが、押ボタンが押されることによりスライドし係止爪の他端どうしの間に入り込んで係止爪の他端どうしの間隔を広げるとともに、押ボタンの押圧の解除によりスライドし互いに近づいてきた係止爪を停止させる、一体の部材で形成されたものであることが好ましい。
【００２２】
あるいは、本発明の蚊取器は、上記複数の係止爪が、この蚊取器本体に設けられた第１の係止爪と、その第１の係止爪との間に間隔を空けてその第１の係止爪に対向する第２の係止爪とを含み、
上記押ボタンと第２の係止爪が、その押ボタンを押すことによって第２の係止爪が第１の係止爪から離れる方向にこの蚊取器本体に対しスライドする、一体の部材で形成されたものであり、さらに
第２の係止爪が第１の係止爪に近づく方向に上記部材を付勢するバネと、
そのバネにより付勢された部材を、第２の係止爪が第１の係止爪に対し、第１の係止爪と第２の係止爪との間に容器を挟むだけの間隔を空けて対向する位置に停止させるストッパとを有するものであることも好ましい態様である。
【発明の効果】
【００２３】
本発明の蚊取器は、押ボタンが押されたときの押ボタンの動きに伴って相対的に離間する複数の係止爪で容器のリブを係止する構造であり、容器が確実に装着され、かつ装着された容器を容易に取り外すことができる。
【図面の簡単な説明】
【００２４】
【図１】従来の蚊取器の外観斜視図である。
【図２】薬液を収容した容器の外観斜視図である。
【図３】図１に示す蚊取器を底面側から見て示した斜視図である。
【図４】図１に示す蚊取器の、カバーを取り外して内部の構造を示した斜視図である。
【図５】第１実施形態の蚊取器の分解斜視図である。
【図６】第１実施形態の蚊取器の正面図である。
【図７】第１実施形態の蚊取器の、押ボタンが押されていない状態における、図６に示す一点鎖線Ａ−Ａに沿う断面図である。
【図８】第１実施形態の蚊取器の、押ボタンが押されていない状態における、図６に示す一点鎖線Ｓ−Ｓに沿う断面図である。
【図９】第１実施形態の蚊取器の、押ボタンが押されていない状態における、図６に示す一点鎖線Ｔ−Ｔに沿う断面図である。
【図１０】第１実施形態の、押ボタンが押された状態における、図６に示す一点鎖線Ａ−Ａに沿う断面図である。
【図１１】第１実施形態の、押ボタンが押された状態における、図６に示す一点鎖線Ｓ−Ｓに沿う断面図である。
【図１２】第１実施形態の、押ボタンが押された状態における、図６に示す一点鎖線Ｔ−Ｔに沿う各断面図である。
【図１３】第２実施形態の蚊取器の分解斜視図である。
【図１４】第２実施形態の蚊取器の正面図である。
【図１５】第２実施形態の蚊取器の、押ボタンが押されていない状態における、図１４に示す一点鎖線Ａ−Ａに沿う断面図である。
【図１６】第２実施形態の蚊取器の、押ボタンが押されていない状態における、図１４に示す一点鎖線Ｔ−Ｔに沿う断面図である。
【図１７】第２実施形態の、押ボタンが押された状態における、図１４に示す一点鎖線Ａ−Ａに沿う断面図である。
【図１８】第２実施形態の、押ボタンが押された状態における、図１４に示す一点鎖線Ｔ−Ｔに沿う断面図である。
【発明を実施するための形態】
【００２５】
以下、本発明の実施形態を説明する。
【００２６】
図５は、第１実施形態の蚊取器の分解斜視図である。
【００２７】
この図５において、前述の従来例の蚊取器１０Ｃの構成要素と同一の構成要素には、前述の従来例の蚊取器１０Ｃの図面に付した符号と同一の符号を付して示す。
【００２８】
この図５に示す第１実施形態の蚊取器１０Ａの、前述の従来例の蚊取器１０Ｃと比べたときの主な相違点は、この第１実施形態の蚊取器１０Ａに、ロックアーム１３０、押ボタン１４０、およびスプリング１５０が備えられていることである。これらを備えていることに伴い、前述の従来例の蚊取器１０Ｃと比べ、例えばベース部材１１０やカバー部材２００にも若干の変更が加えられている。この図５に示す第１実施形態の蚊取器１０Ａに装着される容器２０は、前述の従来例の蚊取器１０Ｃに装着される容器２０（図２参照）と同一のものである。
【００２９】
ロックアーム１３０は２本のアーム部材１３１，１３２で構成されている。これら２本のアーム部材１３１，１３２それぞれの一端はベース１１０に回動自在に軸支され、もう一方の端部１３１ａ，１３２ａが互いに接離する方向に回動する。これらのアーム部材１３１，１３２は、本発明にいう係止爪の一例である。
【００３０】
スプリング１５０は、ロックアーム１３０に取り付けられ、２本のアーム部材１３１，１３２が互いに近づく方向にそれらのアーム部材１３１，１３２を付勢する。
【００３１】
また、押ボタン１４０は、それら２本のアーム部材１３１，１３２の端部１３１ａ，１３２ａどうしの間に入り込んで２本のアーム部材１３１，１３２の間隔を規制するストッパとしての役割りと、その押ボタン１４０が押されたときに２本のアーム部材１３１，１３２の間隔を広げる役割りを担っている。
【００３２】
ヒータベース１７０にはヒータ１５がネジ１９０でネジ止めされ、また、このヒータベース１７０にはランプ１６などの回路部品が組み込まれる。ベース１１０上には、スプリング１５０が取り付けられたロックアーム１３０や押ボタン１４０が配置され、ヒータ１５やランプ１６が取り付けられたヒータベース１７０がその上に置かれて、そのヒータベース１７０が４本のネジ１８０でベース１１０にネジ止めされる。さらに、ベース１１０には、電源スイッチ１２を支持するスイッチ部材１２０や液量確認窓１４（図１参照）を覆う透明プラスチック製の２枚の窓部材１６０が配置され、一方、トップカバー２００にはボタンカバー２１０が取り付けられ、そのボタンカバー２１０が取り付けられたトップカバー２００がヒータベース１７０やベース１１０に被せられて、ベース１１０の下方からネジ２１０でネジ止めされる。トップカバー２００を被せるにあたっては、押ボタン１４０を押し込みぎみにし、その押ボタン１４０とボタンカバー２１０の向きが一致するようにしてトップカバー２００を被せる。そのトップカバー２００を被せ終えるとその押ボタン１４０の頭がボタンカバー２１０に設けられた穴２１１から覗く状態となる。
【００３３】
図６は、図５に分解斜視図を示す第１実施形態の蚊取器の正面図である。
【００３４】
また図７，図８，図９は、その第１実施形態の蚊取器の、押ボタンが押されていない状態における、図６に示す一点鎖線Ａ−Ａ，Ｓ−Ｓ，Ｔ−Ｔに沿う各断面図である。
【００３５】
また、図１０，図１１，図１２は、その第１実施形態の、押ボタンが押された状態における、図６に示す一点鎖線Ａ−Ａ，Ｓ−Ｓ，Ｔ−Ｔに沿う各断面図である。
【００３６】
これらの各図には、容器２０が装着された状態が示されている。
【００３７】
図６に示すように、この蚊取器１０Ａのトップカバー２００にはボタンカバー２１０が取り付けられており、そのボタンカバー２１０の穴２１１から押しボタン１４０の頭が覗いた状態にある。
【００３８】
この押ボタン１４０は、その中央に穴１４１（図９，図１２参照）を有し、その穴１４１にはベース１１０に設けられたピン１１１が入り込んでいてこの押ボタン１４０の可動範囲を規制している。
【００３９】
容器２０は、底の開口１０１から装着され、その容器２０の円環リブ２３がロックアーム１３０を構成する２本のアーム部材１３１，１３２により挟まれることにより、吸上げ芯２１の先端部分がヒータ１５に取り囲まれた状態に支持されている。
【００４０】
２本のアーム部材１３１，１３２がスプリング１５０により互いに近づく方向に付勢されているため、押ボタン１４０は、それらの２本のアーム部材１３１，１３２の端部１３１ａ，１３１ｂに押されて、その頭部が、図９に示すボタンカバー２１０の穴２１１に入り込んだ位置まで突出している。容器２０はこの状態で蚊取器１０Ａに安定的に保持されている。
【００４１】
この押ボタン１４０を図１０に示すように蚊取器１０Ａ内に押し込むように操作すると、その押ボタン１４０が、図１２に示すように、２本のアーム部材１３１，１３２の端部１３１ａ，１３２ａを互いに押し広げるように作用し、図１１に示すように２本のアーム部材１３１，１３２が容器２０の円環リブ２３から離れる。これにより容器２０は、蚊取器１０Ａから落下し、その容器２０が蚊取器１０Ａから容易に取り外される。
【００４２】
容器２０を蚊取器１０Ａに装着するときは、押ボタン１４０を押すことなく、容器２０を蚊取器１０Ａに押し込むだけで、２本のアーム部材１３１，１３２が円環リブ２３に押されて互いに少し開き、円環リブ２３が入り込むとその円環リブ２３が２本のアーム部材１３１，１３２で挟持される。
【００４３】
図１３は、第２実施形態の蚊取器の分解斜視図である。
【００４４】
この図１３において、前述の第１実施形態の蚊取器１０Ａの構成要素に対応する構成要素には、多少の形状等の相違があっても、第１実施形態の蚊取器１０Ａの図面に付した符号と同一の符号を付して示す。
【００４５】
この図１３に示す第２実施形態の蚊取器１０Ｂには、前述の第１実施形態の蚊取器１０Ａに備えられているロックアーム１３０、押ボタン１４０、およびスプリング１５０（図５参照）に代わり、そのロックアーム１３０とは異なる形状のロックアーム２３０およびコイルスプリング２４０が備えられている。このロックアーム２３０には、押ボタン２３１と、ロック爪２３２（図１５〜図１８参照）が一体的に形成されている。このロック爪２３２は、本発明にいう第２の係止爪の一例である。ヒータベース１７０には、このロック爪２３２に対向するもう一方のロック爪１７１（図１５〜図１８参照）が形成されている。ヒータベース１７０に形成されたロック爪１７１は、本発明にいう第１の係止爪の一例である。容器２０（図１５，図１７参照）は、その円環リブ２３がヒータベース１７０のロック爪１７１とロックアーム２３０のロック爪２３２とに挟まれた状態に蚊取器１０Ｂに支持される。コイルスプリング２４０は、ロックアーム２３０の押ボタン２３１がボタンカバー２１０から外方に突出する方向に、ロックアーム２３０を付勢する。
【００４６】
ヒータベース１７０にはヒータ１５やランプ１６などの回路部品が組み込まれる。ベース１１０上には、ロックアーム２３０およびスプリング２４０が配置され、その上にヒータベース１７０が置かれて、そのヒータベース１７０が３本のネジ１８０でベース１１０にネジ止めされる。さらに、ベース１１０には、電源スイッチ１２を支持するスイッチ部材１２０や液量確認窓１４（図１参照）を覆う透明プラスチック製の２枚の窓部材１６０が配置され、一方トップカバー２００にはボタンカバー２１０が取り付けられ、そのボタンカバー２１０が取り付けられたトップカバー２００がヒータベース１７０やベース１１０に被せられて、ベース１１０の下方からネジ２１０でネジ止めされる。トップカバー２００を被せるにあたっては、押ボタン２３１を押し込みぎみにし、その押ボタン２３１とボタンカバー２１０の向きが一致するようにしてトップカバー２００を被せる。トップカバー２００を被せ終えると押ボタン２３１の頭がボタンカバー２１０に設けられた穴２１１から覗く状態となる。
【００４７】
図１４は、図１３に分解斜視図を示す第２実施形態の蚊取器の正面図である。
【００４８】
また図１５，図１６は、その第２実施形態の蚊取器の、押ボタンが押されていない状態における、図１４に示す一点鎖線Ａ−Ａ，Ｔ−Ｔに沿う各断面図である。
【００４９】
また、図１７，図１８は、その第２実施形態の、押ボタンが押された状態における、図１４に示す一点鎖線Ａ−Ａ，Ｔ−Ｔに沿う各断面図である。
【００５０】
これらの図面には、容器２０が装着された状態が示されている。
【００５１】
図１４に示すように、この蚊取器２０Ｂのトップカバー２００にはボタンカバー２１０が取り付けられており、そのボタンカバー２１０の穴２１１から押しボタン２３１の頭が覗いた状態にある。
【００５２】
この押ボタン２３１が形成されたロックアーム２３０には、図１６，図１８に示すように穴２３３が形成されていて、それらの穴２３３にはベース１１０に設けられたピン１１２が入り込んでこのロックアーム２３０の可動範囲を規制している。
【００５３】
容器２０は、底の開口１０１から装着され、その容器２０の円環リブ２３がヒータベース１７０に設けられたロック爪１７１とロックアーム２３０に設けらえたロック爪２３２とに挟まれることにより、吸上げ芯２１の先端部分がヒータ１５に取り囲まれた状態に支持されている。図１３に示すコイルスプリング２４０は、このロックアーム２３０を、押ボタン２３１がボタンカバー２１０から突出する方向に付勢している。このため、ロックアーム２３０のロック爪２３２はヒータベース１７０のロック爪１７１に近づく方向に付着され、容器２０の円環リブ２３がそれらのロック爪１７１，２３２に挟まれた状態に係止され、容器２０は、この状態で、蚊取器２０Ｂに安定的に保持されている。
【００５４】
ここで、押ボタン２３１を、図１８に示すように蚊取器１０Ｂ内に押し込むように操作すると、その押ボタン２３１が形成されたロックアーム２３０がその方向に移動し、そのロックアーム２３０に形成されたロック爪２３２が、ヒータベース１７０（図１３参照）に形成されたもう一方のロック爪１７１から離れる方向に移動し、それら２つのロック爪１７１，２３２どうしの間隔が広がる。また、本実施形態のロックアーム２３０にはさらに、下方に突出したリブ２３４（図１５，図１７参照）が形成されている。このリブ２３４は、押ボタン２３１に押されたときのロックアーム２３０が移動する際に容器２０の肩部２０３を押してこの容器２０の円環リブ２３をヒータベース１７０のロック爪１７１から外す。これにより容器２０の円環リブ２３は、双方のロック爪１７１，２３２から外れ、容器２０は、蚊取器１０Ｂから落下し、その容器２０が蚊取器１０Ｂから容易に取り外される。
【００５５】
容器２０を蚊取器１０Ｂに装着するときは、押ボタン２３１を押すことなく容器２０を蚊取器１０Ｂに押し込むだけで、ヒータベース１７０のロック爪１７１の弾性変形およびコイルスプリング２４０（図１３参照）による付勢力に抗してのロックアーム２３０の動きによるロック爪２３２の動きにより、それらのロック爪１７１，２３２の間隔が少し開く。円環リブ２３がそれらのロック爪１７１，２３２の間に入り込むと、それらのロック爪１７１，２３２で円環リブ２３が図１５，図１６に示す状態に係止される。
【００５６】
尚、上述の第１実施形態および第２実施形態のいずれにおいても、容器２０の円環リブ２３を係止する構造を示したが、本発明は、容器２０の螺旋リブ２２を係止する構造にも適用可能である。
【符号の説明】
【００５７】
１０Ａ，１０Ｂ，１０Ｃ    蚊取器
１１，１４１，２１１，２３３    穴
１２    電源スイッチ
１３    電源確認窓
１４    液量確認窓
１５    ヒータ
１６    ランプ
１７    電源コード
１８    電源プラグ
２０    容器
２１    吸上げ芯
２２    螺旋リブ
２３    円環リブ
１０１    開口
１０２    丸穴
１０３    リブ
１０３ａ    段部
１０３ｂ    立ち上がり部
１０４    窪み部
１０４ａ    突部
１０５    係止爪
１１０    ベース
１１１    ピン
１２０    スイッチ部材
１３０，２３０    ロックアーム
１３１，１３２    アーム部材
１３１ａ，１３２ａ    端部
１４０，２３１    押ボタン
１５０    スプリング
１６０    窓部材
１７０    ヒータベース
１７１，２３２    ロック爪
１８０，１９０    ネジ
２００    トップカバー
２０１    胴部
２０２    首部
２０３    肩部
２１０    ボタンカバー
２３４    リブ
２４０    コイルスプリング
【図１】
2012115176.tif 000003
【図２】
2012115176.tif 000004
【図３】
2012115176.tif 000005
【図４】
2012115176.tif 000006
【図５】
2012115176.tif 000007
【図６】
2012115176.tif 000008
【図７】
2012115176.tif 000009
【図８】
2012115176.tif 000010
【図９】
2012115176.tif 000011
【図１０】
2012115176.tif 000012
【図１１】
2012115176.tif 000013
【図１２】
2012115176.tif 000014
【図１３】
2012115176.tif 000015
【図１４】
2012115176.tif 000016
【図１５】
2012115176.tif 000017
【図１６】
2012115176.tif 000018
【図１７】
2012115176.tif 000019
【図１８】
2012115176.tif 000020